(57)【要約】  制御部（６３０）は、再生中の映像コンテンツとは異なる他の映像コンテンツである再生外映像コンテンツの情報を表示するための情報表示指示を指示受付部（６２０）が受付けた場合、再生中の映像コンテンツのうち未再生の部分の再生時間以下の再生時間で再生部（６１０）が再生可能な全ての再生外映像コンテンツのうち、全てまたは一部の前記再生外映像コンテンツの情報を、表示装置に表示させる。
2011152027.tif 000002
【特許請求の範囲】
【請求項１】
表示装置と連携して動作する映像コンテンツ再生装置であって、
映像コンテンツを再生する再生部と、
指示を受付けるための指示受付部と、
前記映像コンテンツ再生装置の制御を行う制御部と、を備え、
前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示装置に表示させる
映像コンテンツ再生装置。
【請求項２】
前記制御部は、前記情報表示指示を前記指示受付部が受付けた場合、前記残再生時間以下の再生時間を有する再生外映像コンテンツの情報を検索し、検索の結果、得られる情報を前記表示装置に表示させる
請求項１に記載の映像コンテンツ再生装置。
【請求項３】
前記制御部が検索により得られる情報は、前記残再生時間以下の再生時間を有する再生外映像コンテンツであって、ユーザの嗜好にあった再生外映像コンテンツの情報である
請求項２に記載の映像コンテンツ再生装置。
【請求項４】
前記制御部は、前記残再生時間よりも長い再生時間を有する再生外映像コンテンツを、該残再生時間以下の再生時間で再生予定の該再生外映像コンテンツの情報（以下、短縮映像コンテンツ情報と称す）を前記表示装置に表示させる場合、当該短縮映像コンテンツ情報と、該再生外映像コンテンツを該残再生時間以下の時間で再生し終えるための再生速度を示す情報とを紐付けして、前記表示装置に表示させる
請求項１〜３のいずれか１項に記載の映像コンテンツ再生装置。
【請求項５】
前記制御部は、再生映像コンテンツが前記再生部により所定時間再生された後、前記残再生時間を更新し、
前記情報表示指示を前記指示受付部が受付けた場合、前記再生映像コンテンツの更新された残再生時間以下の再生時間で前記再生部が再生可能な全ての前記再生外映像コンテンツのうち、全てまたは一部の前記再生外映像コンテンツの情報を、前記表示装置に表示させる
請求項１〜４のいずれか１項に記載の映像コンテンツ再生装置。
【請求項６】
前記一部の再生外映像コンテンツの個数は複数である
請求項１〜５のいずれか１項に記載の映像コンテンツ再生装置。
【請求項７】
映像コンテンツを再生する表示装置と連携して動作する映像コンテンツ再生装置であって、
映像コンテンツを再生する再生部と、
指示を受付けるための指示受付部と、
前記映像コンテンツ再生装置の制御を行う制御部と、を備え、
前記制御部は、前記表示装置が再生している映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示装置に表示させる
映像コンテンツ再生装置。
【請求項８】
映像コンテンツを表示する表示部と、
映像コンテンツを再生する再生部と、
指示を受付けるための指示受付部と、
前記映像コンテンツ再生装置の制御を行う制御部と、を備え、
前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示部に表示させる
映像コンテンツ再生装置。
【請求項９】
表示装置と連携して動作する映像コンテンツ再生装置が行うコンテンツ情報表示方法であって、
前記映像コンテンツ再生装置は、
映像コンテンツを再生する再生部と、
指示を受付けるための指示受付部とを備え、
前記コンテンツ情報表示方法は、
再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示装置に表示させるステップを含む
コンテンツ情報表示方法。
【発明の詳細な説明】
【技術分野】
【０００１】
本発明は、映像コンテンツが再生されている期間に処理を行う映像コンテンツ再生装置およびコンテンツ情報表示方法に関する。
【背景技術】
【０００２】
近年、電波放送のデジタル化に伴い多種多様な放送コンテンツが提供されている。また一方で、ＦＴＴＨ（Fiber To The Home）の普及に伴い、ブロードバンドを利用したＩＰ（Internet Protocol）放送や、ＶＯＤ（Video On Demand）コンテンツの配信を行うサービスも増え、我々が享受することができる映像コンテンツ（番組）の数は膨大になっている。【０００３】
そのため、膨大な映像コンテンツ（番組）の中から、映像コンテンツ再生装置を利用するユーザの嗜好に応じた映像コンテンツ（番組）を検索する技術開発が盛んに行われてきた。【０００４】
特許文献１では、ユーザが選択したチャンネルの番組データから、ユーザの嗜好情報としてのキーワードを抽出し、当該キーワードによる統計に基づいて、ユーザの嗜好にあった推薦対象のテレビ番組（映像コンテンツ）を検索する技術（以下、従来技術Ａという）が開示されている。
【先行技術文献】
【特許文献】
【０００５】
【特許文献１】特開平１１−１６４２１７号公報
【発明の概要】
【発明が解決しようとする課題】
【０００６】
しかしながら、従来技術Ａでは、映像コンテンツが再生されている期間において、例えば、ユーザが当該映像コンテンツに興味がなくなった場合、再生中の映像コンテンツのうち未再生の部分の再生時間に応じた時間を有意義に活用するための映像コンテンツの情報を得ることはできない。【０００７】
すなわち、従来技術Ａでは、再生中の映像コンテンツのうち未再生の部分の再生時間（以下、未再生時間ともいう）に応じた映像コンテンツの情報を得ることができないという問題点がある。【０００８】
本発明は、上述の問題点を解決するためになされたものであって、その目的は、再生中の映像コンテンツの未再生時間に応じた映像コンテンツの情報を表示することを可能とした映像コンテンツ再生装置等を提供することである。
【課題を解決するための手段】
【０００９】
上述の課題を解決するために、本発明の一態様に従う映像コンテンツ再生装置は、表示装置と連携して動作する。前記映像コンテンツ再生装置は、映像コンテンツを再生する再生部と、指示を受付けるための指示受付部と、前記映像コンテンツ再生装置の制御を行う制御部と、を備え、前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示装置に表示させる。【００１０】
すなわち、映像コンテンツ再生装置は、再生中の映像コンテンツ（再生映像コンテンツ）とは異なる他の映像コンテンツ（再生外映像コンテンツ）の情報を表示するための情報表示指示を前記指示受付部が受付けた場合、再生映像コンテンツの未再生の部分の再生時間（残再生時間）以下の再生時間で前記再生部が再生可能な前記再生外映像コンテンツのうち、全てまたは一部の前記再生外映像コンテンツの情報を、前記表示装置に表示させる。【００１１】
つまり、映像コンテンツ再生装置は、再生外映像コンテンツの情報を表示するための情報表示指示があった場合、再生映像コンテンツの未再生の部分の再生時間（残再生時間）以下の再生時間で前記再生部が再生可能な前記再生外映像コンテンツのうち、全てまたは一部の前記再生外映像コンテンツの情報を、前記表示装置に表示させる。【００１２】
したがって、映像コンテンツが再生されている期間において、例えば、ユーザが他の映像コンテンツが再生されることを希望し、他の映像コンテンツの情報を表示するための情報表示指示を生じさせるための操作がユーザにより行われたとする。この場合、本態様によれば、再生映像コンテンツの未再生の部分の再生時間（残再生時間）以下の再生時間で前記再生部が再生可能な前記再生外映像コンテンツのうち、全てまたは一部の前記再生外映像コンテンツの情報が、前記表示装置に表示される。【００１３】
すなわち、本態様によれば、再生映像コンテンツの未再生の部分の再生時間（残再生時間）以下の再生時間で前記再生部が再生可能な前記再生外映像コンテンツのうち、全てまたは一部の前記再生外映像コンテンツの情報を表示することができる。つまり、本態様によれば、再生中の映像コンテンツの未再生時間に応じた映像コンテンツの情報を表示することができる。【００１４】
また、好ましくは、前記制御部は、前記情報表示指示を前記指示受付部が受付けた場合、前記残再生時間以下の再生時間を有する再生外映像コンテンツの情報を検索し、検索の結果、得られる情報を前記表示装置に表示させる。【００１５】
また、好ましくは、前記制御部が検索により得られる情報は、前記残再生時間以下の再生時間を有する再生外映像コンテンツであって、ユーザの嗜好にあった再生外映像コンテンツの情報である。【００１６】
また、好ましくは、前記制御部は、前記残再生時間よりも長い再生時間を有する再生外映像コンテンツを、該残再生時間以下の再生時間で再生予定の該再生外映像コンテンツの情報（以下、短縮映像コンテンツ情報と称す）を前記表示装置に表示させる場合、当該短縮映像コンテンツ情報と、該再生外映像コンテンツを該残再生時間以下の時間で再生し終えるための再生速度を示す情報とを紐付けして、前記表示装置に表示させる。【００１７】
また、好ましくは、前記制御部は、再生映像コンテンツが前記再生部により所定時間再生された後、前記残再生時間を更新し、前記情報表示指示を前記指示受付部が受付けた場合、前記再生映像コンテンツの更新された残再生時間以下の再生時間で前記再生部が再生可能な全ての前記再生外映像コンテンツのうち、全てまたは一部の前記再生外映像コンテンツの情報を、前記表示装置に表示させる。【００１８】
また、好ましくは、前記一部の再生外映像コンテンツの個数は複数である。【００１９】
この発明の他の一態様に従う映像コンテンツ再生装置は、映像コンテンツを再生する表示装置と連携して動作する。前記映像コンテンツ再生装置は、映像コンテンツを再生する再生部と、指示を受付けるための指示受付部と、前記映像コンテンツ再生装置の制御を行う制御部と、を備え、前記制御部は、前記表示装置が再生している映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示装置に表示させる。【００２０】
この発明の他の一態様に従う映像コンテンツ再生装置は、映像コンテンツを表示する表示部と、映像コンテンツを再生する再生部と、指示を受付けるための指示受付部と、前記映像コンテンツ再生装置の制御を行う制御部と、を備え、前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示部に表示させる。【００２１】
この発明の一態様に従うコンテンツ情報表示方法は、表示装置と連携して動作する映像コンテンツ再生装置が行う。前記映像コンテンツ再生装置は、映像コンテンツを再生する再生部と、指示を受付けるための指示受付部とを備え、前記コンテンツ情報表示方法は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間で前記再生部が再生可能な前記再生外映像コンテンツのうち、全てまたは一部の前記再生外映像コンテンツの情報を、前記表示装置に表示させるステップを含む。【００２２】
なお、本発明は、このような映像コンテンツ再生装置を構成する複数の構成要素の全てまたは一部を、システムＬＳＩ（Large Scale Integration：大規模集積回路）として実現してもよい。【００２３】
また、本発明は、コンテンツ情報表示方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【発明の効果】
【００２４】
本発明により、再生中の映像コンテンツの未再生時間に応じた映像コンテンツの情報を表示することができる。
【図面の簡単な説明】
【００２５】
【図１】図１は、映像コンテンツ再生装置の構成を示すブロック図である。
【図２】図２は、放送コンテンツに関する番組情報の一例を複数示す図である。
【図３】図３は、ネットワークコンテンツに関するコンテンツ情報の一例を複数示す図である。
【図４】図４は、一例としての嗜好情報データベースを示す図である。
【図５】図５は、一例としての再生情報を示す図である。
【図６】図６は、推薦コンテンツ情報表示処理のフローチャートである。
【図７】図７は、一例としての推薦情報表示画像を示す図である。
【図８】図８は、推薦コンテンツ情報表示処理Ａのフローチャートである。
【図９】図９は、映像コンテンツ再生装置の他の構成を示すブロック図である。
【図１０】図１０は、映像コンテンツ再生装置の特徴的な機能構成を示すブロック図である。
【発明を実施するための形態】
【００２６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２７】
＜第１の実施の形態＞
図１は、映像コンテンツ再生装置１０００の構成を示すブロック図である。なお、図１には、説明のために、映像コンテンツ再生装置１０００に含まれない、遠隔制御装置２００、表示装置４００および複数のコンテンツサーバ５００等も示される。
【００２８】
表示装置４００は、ＬＣＤパネル（Liquid Crystal Display Panel）を使用した装置である。なお、表示装置４００は、上記以外の表示方式のパネルを使用した装置であってもよい。
【００２９】
映像コンテンツ再生装置１０００は、映像コンテンツを再生可能な装置である。映像コンテンツ再生装置１０００は、一例として、ＨＤＤ（Hard Disk Drive）レコーダである。なお、映像コンテンツ再生装置１０００は、ＨＤＤ（Hard Disk Drive）レコーダに限定されず、他の装置、例えば、ＳＴＢ（Set Top Box）、ＰＣ（Personal Computer）であってもよい。
【００３０】
なお、映像コンテンツ再生装置１０００は、表示装置４００を備えてもよい。この場合、映像コンテンツ再生装置１０００は、テレビジョン受像機、携帯電話等であってもよい。
【００３１】
すなわち、映像コンテンツ再生装置１０００は、通信により映像コンテンツを取得し、当該映像コンテンツを再生可能な装置であれば、どのような装置であってもよい。
【００３２】
映像コンテンツ再生装置１０００は、映像コンテンツを、通常の再生速度（１倍の再生速度）で再生する機能に加え、ｋ（１より大きい正数）倍の再生速度で再生する機能を有するとする。
【００３３】
本明細書において、映像コンテンツは、映像および音声を含むコンテンツであるとする。なお、映像コンテンツは、映像のみを含むコンテンツであってもよい。
【００３４】
映像コンテンツ再生装置１０００は、図示しない放送局から放送網１０を介して送信される放送ストリームを受信する。すなわち、放送網１０は、電波（放送波）を用いて、放送ストリームを提供する。放送ストリームは、映像コンテンツおよび後述の番組情報を含む。番組情報は、番組としての映像コンテンツに関する情報である。
【００３５】
以下においては、放送ストリームに含まれる映像コンテンツを、放送コンテンツともいう。
【００３６】
図２は、放送コンテンツに関する番組情報の一例を複数示す図である。
【００３７】
放送コンテンツに関する番組情報は、例えば、放送ストリームに含まれるメタデータに示される。
【００３８】
図２を参照して、番組情報Ｔ２０１，Ｔ２０２，Ｔ２０３，Ｔ２０４，Ｔ２０５の各々は、対応する番組（映像コンテンツ）に対応づけられる。
【００３９】
例えば、番組情報Ｔ２０１において、「放送局名」とは、番組としての映像コンテンツを配信している放送局の名称である。「放送時間」とは、対応する番組の放送時間を示す。「ジャンル」とは、対応する番組（映像コンテンツ）のジャンルを示す。「詳細情報」は、対応する番組（映像コンテンツ）に関する詳細な情報である。詳細情報は、番組（映像コンテンツ）のタイトル、番組名、出演者情報、番組詳細内容等をテキストにより示す情報である。
【００４０】
例えば、番組情報Ｔ２０１により、番組情報Ｔ２０１に対応する番組（映像コンテンツ）は、ＡＡ放送が配信している番組であり、当該番組の放送時間は７時００分〜８時００分であり、８時００分に番組が終了することが示される。
【００４１】
また、番組情報Ｔ２０１により、番組情報Ｔ２０１に対応する番組のジャンルはニュースであり、当該番組はＦＦ事件を扱った番組であることが示される。
【００４２】
なお、番組情報Ｔ２０２，Ｔ２０３，Ｔ２０４，Ｔ２０５の各々も、番組情報Ｔ２０１と同様であるので詳細な説明は繰り返さない。
【００４３】
再び、図１を参照して、映像コンテンツ再生装置１０００は、通信網２０と通信可能なように構成される。通信網２０は、インターネット等のネットワークである。通信網２０は、電話回線や、ＡＤＳＬ（Asymmetric Digital Subscriber Line）回線、光ファイバ網等を利用した通信網である。
【００４４】
各コンテンツサーバ５００は、例えば、ＶＯＤ（Video On Demand）サーバである。コンテンツサーバ５００には、複数の映像コンテンツと、当該複数の映像コンテンツにそれぞれ対応する複数のコンテンツ情報とが記憶されている。コンテンツ情報は、対応する映像コンテンツに関する情報（例えば、タイトル、ジャンル、再生時間等）を示す。
【００４５】
なお、コンテンツサーバ５００は、ＶＯＤサーバに限定されず、通信網２０を利用して、映像コンテンツを送信可能なサーバであれば、他の形式のサーバであってもよい。
【００４６】
映像コンテンツ再生装置１０００は、コンテンツサーバ５００から通信網２０を介してストリーム配信される、映像コンテンツおよびコンテンツ情報を含むネットワークストリームを受信する。
【００４７】
当該コンテンツ情報は、ネットワークコンテンツに関する情報である。以下においては、ネットワークストリームに含まれる映像コンテンツを、ネットワークコンテンツともいう。
【００４８】
図３は、ネットワークコンテンツに関するコンテンツ情報の一例を複数示す図である。ネットワークコンテンツに関するコンテンツ情報は、ＨＴＭＬ言語、ＸＭＬ言語などの構造化言語により示される。
【００４９】
図３を参照して、コンテンツ情報Ｔ３０１，Ｔ３０２，Ｔ３０３の各々は、対応するネットワークコンテンツに対応づけられる。
【００５０】
例えば、コンテンツ情報Ｔ３０１において、「サーバ名」とは、対応するネットワークコンテンツを配信するサーバ名である。また、「再生時間」とは、対応するネットワークコンテンツの再生時間である。いいかえれば、再生時間とは、再生対象の映像コンテンツ全体を再生するのに必要な時間である。また、「ジャンル」とは、対応するネットワークコンテンツのジャンルである。「詳細情報」は、対応するネットワークコンテンツに関する詳細な情報である。詳細情報は、ネットワークコンテンツのタイトル、出演者情報、ネットワークコンテンツの詳細内容等をテキストにより示す情報である。
【００５１】
例えば、コンテンツ情報Ｔ３０１により、コンテンツ情報Ｔ３０１に対応するネットワークコンテンツは、ＮＮ−ＶＯＤサーバが配信しているネットワークコンテンツであり、当該ネットワークコンテンツの再生時間は６０分であることが示される。
【００５２】
また、コンテンツ情報Ｔ３０１により、コンテンツ情報Ｔ３０１に対応するネットワークコンテンツのジャンルはドラマであり、当該ネットワークコンテンツは、第一話のコンテンツであることが示される。
【００５３】
なお、コンテンツ情報Ｔ３０２，Ｔ３０３の各々も、コンテンツ情報Ｔ３０１と同様であるので詳細な説明は繰り返さない。
【００５４】
放送ストリームおよびネットワークストリームの各々は、例えば、ＭＰＥＧ−２規格に従ったトランスポートストリームである。なお、放送ストリームおよびネットワークストリームの各々は、ＭＰＥＧ−２規格と異なる他の規格に従ったトランスポートストリームであってもよい。
【００５５】
以下においては、放送ストリームおよびネットワークストリームを、総括的に、ストリームともいう。
【００５６】
放送コンテンツは、一例として、ＭＰＥＧ２−ＴＳ（Transport Stream）規格に従った符号化方式により符号化されているとする。なお、放送コンテンツは、ＭＰＥＧ２−ＴＳ規格に限定されず、他の方式により符号化されているコンテンツであってもよい。
【００５７】
ネットワークコンテンツは、例えば、ＶＯＤコンテンツである。ネットワークコンテンツは、例えば、ＭＰＥＧ２−ＴＳ規格に従った符号化方式により符号化されているとする。
【００５８】
再び、図１を参照して、映像コンテンツ再生装置１０００は、通信部１１０と、分離部１１１と、再生部１２０と、制御部１０１と、嗜好情報記憶部１６０と、指示受付部１９０とを備える。
【００５９】
制御部１０１は、時間算出部１４０と、検索部１５０と、表示制御部１７０と、時刻計測部１８０とを含む。
【００６０】
制御部１０１は、映像コンテンツ再生装置の制御を行う。制御部１０１は、ＣＰＵ（Central Processing Unit）等のハードウエアである。時間算出部１４０、検索部１５０、表示制御部１７０および時刻計測部１８０の全てまたは一部は、ハードウエアで構成されてもよい。
【００６１】
なお、制御部１０１は、ＣＰＵ等により実行されるプログラムのモジュールであってもよい。この場合、時間算出部１４０、検索部１５０、表示制御部１７０および時刻計測部１８０の全てまたは一部は、ＣＰＵ等により実行されるプログラムのモジュールであってもよい。
【００６２】
嗜好情報記憶部１６０は、不揮発的にデータを記憶可能な記憶媒体である。嗜好情報記憶部１６０は、例えば、ＨＤＤ、フラッシュメモリ、ＥＥＰＲＯＭ等である。
【００６３】
通信部１１０は、図示しない放送局から、放送網１０を介して送信される放送ストリームを受信する機能を有する。また、通信部１１０は、通信網２０と通信する機能を有する。
【００６４】
通信部１１０は、放送網１０または通信網２０から送信されるストリーム（放送ストリームまたはネットワークストリーム）を受信する。
【００６５】
通信部１１０は、受信した（放送ストリームまたはネットワークストリーム）を、分離部１１１へ送信する。
【００６６】
分離部１１１は、放送ストリームを受信した場合、当該放送ストリームに含まれる映像コンテンツ（放送コンテンツ）と放送ストリームに含まれる番組情報が示す放送時間とを、再生部１２０へ送信するとともに、放送ストリームに含まれる番組情報を、ユーザの嗜好を示す嗜好情報として、嗜好情報記憶部１６０に記憶させる。
【００６７】
分離部１１１は、ネットワークストリームを受信した場合、当該ネットワークストリームに含まれる映像コンテンツ（ネットワークコンテンツ）とネットワークストリームに含まれるコンテンツ情報が示す再生時間とを、再生部１２０へ送信するとともに、ネットワークストリームに含まれるコンテンツ情報を、ユーザの嗜好を示す嗜好情報として、嗜好情報記憶部１６０に記憶させる。
【００６８】
嗜好情報記憶部１６０に各嗜好情報が記憶されることにより、嗜好情報記憶部１６０に嗜好情報データベースＤＢ４００が生成される。なお、嗜好情報データベースＤＢ４００の詳細な生成方法は、後述する。
【００６９】
以下においては、放送時間および再生時間を、総括して、再生関連時間ともいう。
【００７０】
再生部１２０は、受信した映像コンテンツを、当該映像コンテンツの符号化方式に対応する復号方式により復号する。具体的には、再生部１２０は、コンテンツ復号再生処理を行う。コンテンツ復号再生処理では、再生部１２０は、映像コンテンツを、例えば、ＭＰＥＧ２−ＴＳ規格に従って、所定単位で復号する。すなわち、再生部１２０は、映像コンテンツを再生する。
【００７１】
当該所定単位は、例えば、１つのＧＯＰ（Group Of Pictures）である。再生部１２０は、映像コンテンツを所定単位で復号することにより映像データを得る。
【００７２】
再生部１２０は、復号により映像データを取得する毎に、取得した映像データを、表示装置４００へ送信する。
【００７３】
表示装置４００は、受信した映像データに基づく映像を表示する。
【００７４】
再生部１２０は、映像コンテンツを所定単位で復号する処理を、当該映像コンテンツ全体の復号が終了するまで繰り返し行う。
【００７５】
以上のコンテンツ復号再生処理により、映像コンテンツが再生される。
【００７６】
すなわち、映像コンテンツ再生装置１０００は、表示装置４００と連携して動作する。
【００７７】
以下においては、再生部１２０により再生されている映像コンテンツを、再生映像コンテンツという。
【００７８】
また、再生部１２０は、分離部１１１から受信した再生関連時間（放送時間または再生時間）を用いて、後述する再生情報を生成し、当該再生情報を保持する。
【００７９】
ここで、嗜好情報データベースＤＢ４００について説明する。
【００８０】
図４は、一例としての嗜好情報データベースＤＢ４００を示す図である。
【００８１】
図４を参照して、嗜好情報データベースＤＢ４００は、嗜好情報データテーブルＴ４１０，Ｔ４２０，Ｔ４３０とから構成される。
【００８２】
嗜好情報データテーブルＴ４１０には、再生部１２０により再生された映像コンテンツを配信した放送局名またはサーバ名が示される。嗜好情報データテーブルＴ４１０において、「出現回数」とは、再生部１２０により再生された映像コンテンツに対応する番組情報またはコンテンツ情報において、嗜好情報データテーブルＴ４１０に示される放送局名またはサーバ名が示された（出現した）回数である。すなわち、嗜好情報データテーブルＴ４１０に示される出現回数は、ユーザの嗜好を示す情報である。
【００８３】
例えば、嗜好情報データテーブルＴ４１０は、ＡＡ放送という放送局により配信された映像コンテンツの再生回数が、１３回であることを示す。
【００８４】
嗜好情報データテーブルＴ４２０は、再生部１２０により再生された映像コンテンツのジャンルが示される。嗜好情報データテーブルＴ４２０において、「出現回数」とは、再生部１２０により再生された映像コンテンツに対応する番組情報またはコンテンツ情報が示すテキストにおいて、嗜好情報データテーブルＴ４２０に示されるジャンルが示された（出現した）回数である。
【００８５】
例えば、嗜好情報データテーブルＴ４２０は、ジャンルがバラエティである映像コンテンツの再生回数が、最も多い３９回であることを示す。すなわち、映像コンテンツ再生装置１０００を使用して映像コンテンツを視聴するユーザは、ジャンルがバラエティである映像コンテンツを、好むことが分かる。すなわち、嗜好情報データテーブルＴ４２０に示される出現回数は、ユーザの嗜好を示す情報である。
【００８６】
嗜好情報データテーブルＴ４３０は、再生部１２０により再生された映像コンテンツに対応する番組情報またはコンテンツ情報が示すキーワードが示される。嗜好情報データテーブルＴ４３０において、「出現回数」とは、再生部１２０により再生された映像コンテンツに対応する番組情報またはコンテンツ情報が示すテキストにおいて、嗜好情報データテーブルＴ４３０に示されるキーワードが示された（出現した）回数である。すなわち、嗜好情報データテーブルＴ４３０に示される出現回数は、ユーザの嗜好を示す情報である。
【００８７】
嗜好情報データベースＤＢ４００は、再生部１２０により映像コンテンツが再生された場合、分離部１１１が取得する番組情報またはコンテンツ情報に基づいて、分離部１１１により更新される。
【００８８】
ここで、一例として、分離部１１１が、番組情報Ｔ２０１と、当該番組情報Ｔ２０１に対応する映像コンテンツを受信したとする。この場合、分離部１１１は、嗜好情報データベースＤＢ４００に含まれる嗜好情報データテーブルＴ４１０の「ＡＡ放送」に対応する出現回数を１増加させ、かつ、嗜好情報データテーブルＴ４２０の「ニュース」に対応する出現回数を１増加させる。さらに、分離部１１１は、番組情報Ｔ２０１の詳細情報から、キーワード抽出を行う。そして、分離部１１１は、抽出したキーワードに対応する出現回数を１増加させる。
【００８９】
したがって、嗜好情報データテーブルＴ４１０，Ｔ４２０，Ｔ４３０の各々において、放送局名（サーバ名）、ジャンルおよびキーワードの各項目の出現回数が多い程、ユーザの好み（嗜好度）が高い映像コンテンツが再生されたことが分かる。
【００９０】
再び、図１を参照して、時間算出部１４０は、詳細は後述するが、再生中の映像コンテンツのうち未再生の部分の再生時間（残再生時間）を算出する。以下においては、再生中の映像コンテンツのうち未再生の部分の再生時間を、未再生時間ともいう。すなわち、残再生時間は、未再生時間である。
【００９１】
検索部１５０は、詳細は後述するが、嗜好情報記憶部１６０に記憶されている嗜好情報を利用して、コンテンツを検索する。また、検索部１５０は、詳細は後述するが、検索により取得したコンテンツの情報を利用してコンテンツ情報のリストを示す画像を生成する。
【００９２】
表示制御部１７０は、詳細は後述するが、検索部１５０が生成した画像を、表示装置４００に表示させる。
【００９３】
時刻計測部１８０は、現在時刻を計測する。時刻計測部１８０は、現在時刻が変化する毎に、変化後の最新の現在時刻を、再生部１２０および時間算出部１４０へ通知する。なお、時刻計測部１８０は、例えば、通信網２０を介して、タイムサーバから最新の現在時刻を随時取得してもよい。
【００９４】
指示受付部１９０は、遠隔制御装置２００から、無線送信される制御信号を受信する。指示受付部１９０は、制御信号を受信した場合、当該制御信号を受信した旨を、時間算出部１４０へ通知する。遠隔制御装置２００は、映像コンテンツ再生装置１０００の動作を遠隔制御可能なリモートコントローラである。遠隔制御装置２００には、映像コンテンツ再生装置１０００を制御するための図示されない複数のボタンが設けられる。遠隔制御装置２００は、ユーザにより当該ボタンの押下操作が行われた場合、当該押下操作されたボタンに対応する制御信号を、指示受付部１９０へ送信することにより、映像コンテンツ再生装置１０００を制御する。
【００９５】
以下においては、ユーザによる、遠隔制御装置２００に設けられたボタンの操作を、ユーザ操作Ｍという。
【００９６】
なお、映像コンテンツ再生装置１０００の外部にはユーザにより操作可能なボタンが設けられていてもよい。この場合、当該ボタンをユーザが操作することにより、指示受付部１９０は、当該ボタンに対応する制御信号を受信してもよい。
【００９７】
なお、再生部１２０は、前述したように、映像コンテンツの再生中に、再生情報を生成し、当該再生情報を保持する。
【００９８】
ここで、一例として、分離部１１１が、図２の番組情報Ｔ２０１と、当該番組情報Ｔ２０１に対応する映像コンテンツ（放送コンテンツ）を受信したとする。
【００９９】
この場合、分離部１１１は、前述したように嗜好情報データベースＤＢ４００の嗜好情報を更新するとともに、映像コンテンツ（放送コンテンツ）と当該番組情報Ｔ２０１に示される放送時間（７：００−８：００）とを、再生部１２０へ送信する。
【０１００】
再生部１２０は、受信した映像コンテンツ（放送コンテンツ）を、前述したコンテンツ復号再生処理により再生するとともに、受信した放送時間（７：００−８：００）を用いて、以下の再生情報Ｔ４５０を生成する。
【０１０１】
図５は、一例としての再生情報Ｔ４５０を示す図である。
【０１０２】
再生情報Ｔ４５０において、「開始時刻」とは、再生映像コンテンツの放送開始時刻である。「終了予定時刻」とは、再生映像コンテンツの放送が終了する予定時刻である。
【０１０３】
なお、再生情報Ｔ４５０には、「現在時刻」が記載されてもよい。この場合、再生部１２０は、時刻計測部１８０から取得する最新の現在時刻を、再生情報Ｔ４５０に追記する。
【０１０４】
なお、分離部１１１がネットワークコンテンツおよびコンテンツ情報を受信した場合は、以下の処理が行われる。すなわち、分離部１１１が再生時間を示すコンテンツ情報を受信した場合、分離部１１１は、再生時間を、再生部１２０へ送信する。
【０１０５】
再生部１２０は、再生情報Ｔ４５０における「開始時刻」を、当該コンテンツ情報に対応するネットワークコンテンツの再生が開始された時刻に設定するとともに、「終了予定時刻」を、「開始時刻」に当該再生時間を加算した時刻に設定した再生情報を生成する。これにより、ネットワークコンテンツの再生の場合においても、再生情報を生成することができる。当該生成された再生情報が示す「終了予定時刻」は、ネットワークコンテンツの再生が終了する予定時刻である。
【０１０６】
以下に一例をあげて説明する。ここで、一例として、分離部１１１が、図３のコンテンツ情報Ｔ３０１と、当該コンテンツ情報Ｔ３０１に対応する映像コンテンツ（ネットワークコンテンツ）を受信したとする。
【０１０７】
この場合、分離部１１１は、前述したように嗜好情報データベースＤＢ４００の嗜好情報を更新するとともに、ネットワークコンテンツと当該コンテンツ情報Ｔ３０１に示される再生時間（６０分）とを、再生部１２０へ送信する。
【０１０８】
再生部１２０は、再生情報Ｔ４５０の「開始時刻」を、ネットワークコンテンツの再生を開始した時刻に設定し、再生情報Ｔ４５０の「終了予定時刻」を、「開始時刻」に６０分を加算した時刻に設定した再生情報を生成する。再生部１２０は、生成した再生情報を保持する。
【０１０９】
なお、再生部１２０は、「開始時刻」と、「終了予定時刻」とが固定されていないコンテンツ情報、例えば、ネットワークコンテンツ情報の場合、時間経過に伴い保持している再生情報を随時更新する。具体的に再生部１２０は、再生情報を作成してから１０分経過した場合、再生部１２０は、再生情報に示される「終了予定時刻」を、当該終了予定時刻に１０分加算した時刻に更新する。また、再生部１２０は、「開始時刻」を「現在時刻」つまり、再生情報を作成してから１０分経過した時刻に更新する。
【０１１０】
次に、映像コンテンツの再生中に、他の映像コンテンツの情報を表示するための処理（以下、推薦コンテンツ情報表示処理という）について説明する。推薦コンテンツ情報表示処理は、再生部１２０により映像コンテンツが再生されている期間に行われる処理である。
【０１１１】
ここで、映像コンテンツ再生装置１０００において映像コンテンツが再生されることにより、表示装置４００に表示されている映像コンテンツを、ユーザは視聴しているとする。
【０１１２】
図６は、推薦コンテンツ情報表示処理のフローチャートである。
【０１１３】
ステップＳ１１０では、時間算出部１４０が、映像コンテンツの再生中に、指示受付部１９０が情報表示指示を受付けたか否かを判定する。情報表示指示は、再生中の映像コンテンツとは異なる他の映像コンテンツ（以下、再生外映像コンテンツともいう）の情報を表示させるための指示である。情報表示指示は、ユーザ操作Ｍにより、遠隔制御装置２００から送信される制御信号に含まれる指示である。
【０１１４】
具体的には、時間算出部１４０が、指示受付部１９０が、情報表示指示を示す制御信号を受信したか否かを判定する。以下においては、情報表示指示を示す制御信号を遠隔制御装置２００から送信するために、遠隔制御装置２００に対し行われるユーザ操作Ｍを、情報表示指示操作ともいう。
【０１１５】
指示受付部１９０が情報表示指示を受付ける場合は、例えば、映像コンテンツ再生装置１０００において再生されている映像コンテンツが、ユーザにとって興味がない映像コンテンツであり、ユーザが、映像コンテンツ再生装置１０００において他の映像コンテンツを再生させることを望む場合である。
【０１１６】
以下においては、映像コンテンツ再生装置１０００において再生されている映像コンテンツを、ユーザが視聴するために確保している時間を、コンテンツ視聴用時間という。例えば、映像コンテンツの再生時間が６０分である場合、コンテンツ視聴用時間は、６０分である。
【０１１７】
例えば、図２の番組情報Ｔ２０１に対応する映像コンテンツが、映像コンテンツ再生装置１０００において再生されている場合、ユーザのコンテンツ視聴用時間は、６０分である。
【０１１８】
また、例えば、図３のコンテンツ情報Ｔ３０３に対応する映像コンテンツが、映像コンテンツ再生装置１０００において再生されている場合、ユーザのコンテンツ視聴用時間は、１２０分である。
【０１１９】
具体的には、例えば、ユーザが２時間（１２０分）のコンテンツ視聴用時間を確保して、映像コンテンツ再生装置１０００において、再生時間が２時間の映像コンテンツの再生を開始させたとする。そして、ユーザが、再生時間が２時間の映像コンテンツの視聴中において、当該映像コンテンツの再生開始から３０分経過後に、当該映像コンテンツに興味が無くなり、情報表示指示操作を行ったとする。この場合、指示受付部１９０は、情報表示指示を示す制御信号を受信する。指示受付部１９０は、当該情報表示指示を示す制御信号を受信した旨を、時間算出部１４０へ通知する。この場合、時間算出部１４０は、指示受付部１９０が情報表示指示を受付けたと判定する。
【０１２０】
ステップＳ１１０において、ＹＥＳならば処理はステップＳ１２０に移行する。一方、ステップＳ１１０において、ＮＯならば、再度、ステップＳ１１０の処理が行われる。
【０１２１】
ステップＳ１２０では、時間算出部１４０が、時刻計測部１８０から最新の現在時刻を取得する。なお、再生部１２０が現在時刻を示す再生情報を保持している場合、時間算出部１４０は、再生部１２０から現在時刻を取得してもよい。
【０１２２】
ステップＳ１３０では、時間算出部１４０が、再生部１２０から、再生映像コンテンツの終了予定時刻を示す再生情報を取得する。これにより、時間算出部１４０は、再生映像コンテンツの終了予定時刻を取得する。
【０１２３】
ステップＳ１４０では、時間算出部１４０が、取得した最新の現在時刻から終了予定時刻までの時間を、残再生時間として算出する。残再生時間は、再生映像コンテンツのうち、最新の現在時刻において再生が終了している最新の箇所から当該再生映像コンテンツの再生が終了する箇所までの再生に必要な時間である。すなわち、残再生時間は、再生映像コンテンツのうち未再生の部分の再生時間である。
【０１２４】
そして、時間算出部１４０は、算出した残再生時間を、検索部１５０へ通知する。
【０１２５】
ステップＳ１５０では、推薦コンテンツ検索処理が行われる。推薦コンテンツ検索処理では、検索部１５０が、嗜好情報記憶部１６０に記憶されている嗜好情報データベースが示す嗜好情報データテーブルを用いて、推薦候補コンテンツを検索する。
【０１２６】
ここで、推薦候補コンテンツは、再生映像コンテンツとは異なる他の映像コンテンツ（以下、再生外映像コンテンツともいう）である。推薦候補コンテンツは、残再生時間以下の再生時間で再生予定の再生外映像コンテンツである。言い換えれば、推薦候補コンテンツは、残再生時間以下の再生時間で前記再生部１２０が再生可能な再生外映像コンテンツである。また、推薦候補コンテンツは、残再生時間に応じた再生時間の再生外映像コンテンツであって、ユーザの嗜好にあった再生外映像コンテンツである。ここで、再生時間の再生外映像コンテンツとは、当該再生時間を有する再生外映像コンテンツである。以下においては、残再生時間に応じた再生時間を、対応再生時間ともいう。
【０１２７】
ここで、残再生時間に応じた対応再生時間は、該残再生時間以下の時間である。なお、残再生時間に応じた対応再生時間は、該残再生時間より長い時間であってもよい。当該ユーザの嗜好とは、嗜好情報記憶部１６０に記憶されている嗜好情報データベースが示す嗜好情報データテーブルに示される嗜好情報である。
【０１２８】
ここで、検索部１５０が用いる嗜好情報データテーブルは、図４の嗜好情報データテーブルＴ４２０であるとする。また、使用される嗜好情報は、一例として、嗜好情報データテーブルＴ４２０に示されるジャンルにおいて、最も出願回数の多い「バラエティ」であるとする。また、ステップＳ１４０の処理により算出された残再生時間は、一例として、６０分であるとする。また、推薦候補コンテンツの再生時間である、残再生時間に応じた対応再生時間は、残再生時間以下の時間であるとする。
【０１２９】
この場合、検索対象の推薦候補コンテンツは、映像コンテンツのジャンルがバラエティであり、映像コンテンツの再生時間が６０分以下の映像コンテンツである。検索部１５０は、通信部１１０を利用して、通信網２０に接続されている複数のコンテンツサーバ５００の各々が記憶している複数の映像コンテンツ（再生外映像コンテンツ）の中から、推薦候補コンテンツを検索する検索処理Ａを行う。
【０１３０】
当該検索処理Ａにより、推薦候補コンテンツがみつかった場合、検索部１５０は、当該推薦候補コンテンツを記憶しているコンテンツサーバ５００に対して、推薦候補コンテンツのコンテンツ情報を要求するための要求指示を送信する。当該コンテンツ情報は、例えば、推薦候補コンテンツのタイトル、再生時間、ジャンル等を示す。
【０１３１】
以下においては、検索処理Ａによりみつかった推薦候補コンテンツのコンテンツ情報を、推薦コンテンツ情報という。
【０１３２】
当該要求指示を受信したコンテンツサーバ５００は、推薦コンテンツ情報を、映像コンテンツ再生装置１０００へ送信する。これにより、検索部１５０は、通信部１１０を介して、推薦コンテンツ情報を受信する。なお、複数の推薦候補コンテンツがみつかった場合、検索部１５０は、複数の推薦コンテンツ情報を受信する。
【０１３３】
なお、上記検索処理Ａにより、推薦候補コンテンツがみつからない場合、検索部１５０は、推薦候補コンテンツにおける各種条件を、推薦候補コンテンツがみつかる確率が高くなるように変更した後、再度、検索処理Ａを行う。
【０１３４】
例えば、検索部１５０は、前回の検索処理Ａで使用した嗜好情報の数を増やしたり、推薦候補コンテンツの再生時間である、残再生時間に応じた対応再生時間を、当該残再生時間よりも所定時間（例えば、１０分）長い時間に設定する。
【０１３５】
例えば、嗜好情報の数を増やすとする。この場合、検索部１５０が用いる嗜好情報データテーブルを、例えば、嗜好情報データテーブルＴ４２０，Ｔ４３０に増やす。そして、嗜好情報データテーブルＴ４２０，Ｔ４３０の各々において、最も出現回数の多い情報を、嗜好情報として採用する。この場合、ジャンル「バラエティ」およびキーワード「野球」が、嗜好情報として採用される。なお、採用された複数の嗜好情報は、検索処理Ａの際に、例えば、ＯＲ検索で利用される。
【０１３６】
また、検索部１５０は、推薦候補コンテンツの再生時間である、残再生時間に応じた対応再生時間を、残再生時間よりも１０分長い時間に設定したとする。ここで、ステップＳ１４０の処理により算出された残再生時間は、６０分であるとする。
【０１３７】
この場合、検索対象の推薦候補コンテンツは、以下の推薦候補コンテンツＡおよび推薦候補コンテンツＢであるとする。推薦候補コンテンツＡは、映像コンテンツのジャンルがバラエティであって、映像コンテンツの再生時間が７０分以下の映像コンテンツである。推薦候補コンテンツＢは、映像コンテンツの説明文等に「野球」が含まれ、映像コンテンツの再生時間が７０分以下の映像コンテンツである。すなわち、推薦候補コンテンツＡおよび推薦候補コンテンツＢの各々は、該残再生時間より長い再生時間の映像コンテンツである。
【０１３８】
この場合、検索部１５０は、通信部１１０を利用して、通信網２０に接続されている複数のコンテンツサーバ５００の各々が記憶している複数の映像コンテンツの中から、推薦候補コンテンツＡまたは推薦候補コンテンツＢを検索するための検索処理Ａを行う。
【０１３９】
当該検索処理Ａにより、推薦候補コンテンツがみつかった場合、検索部１５０は、前述の処理と同様に、コンテンツ情報を要求するための要求指示を送信することにより、推薦コンテンツ情報を受信する。
【０１４０】
上記の検索処理Ａは、推薦候補コンテンツが見つかるまで、推薦候補コンテンツがみつかる確率が高くなるように条件を変更して、繰り返される。
【０１４１】
すなわち、推薦コンテンツ検索処理では、検索部１５０が、残再生時間に応じた対応再生時間の他の映像コンテンツであって、ユーザの嗜好にあった映像コンテンツの情報を検索する。
【０１４２】
なお、嗜好情報の決定方法は、上記方法に限定されない。例えば、放送局名（サーバ名）、ジャンル、キーワードの各項目の出現回数の最も大きいものを嗜好情報として採用してもよい。また、各項目の出現回数を重み付けした情報を、嗜好情報として採用してもよい。
【０１４３】
また、推薦候補コンテンツの検索対象となる箇所は、コンテンツサーバ５００に限定されない。推薦候補コンテンツの検索対象となる箇所は、例えば、映像コンテンツ再生装置１０００内に設けられる、図示しない、映像コンテンツを記憶している記憶部であってもよい。また、推薦候補コンテンツの検索対象となる箇所は、通信網２０に接続されている、コンテンツサーバ５００以外の映像コンテンツを記憶している装置であってもよい。
【０１４４】
また、検索処理Ａでは、検索部１５０は、推薦候補コンテンツの代わりに推薦候補コンテンツのコンテンツ情報自体を検索してもよい。
【０１４５】
なお、推薦候補コンテンツにおける各種条件を変更して行われる検索処理Ａの回数は所定回数以下としてもよい。この場合、推薦候補コンテンツが見つからない場合が発生する。この場合は、例えば、表示装置４００に「おすすめコンテンツが見つかりませんでした」というメッセージを表示するための処理が行われる。
【０１４６】
検索部１５０が、推薦コンテンツ情報を受信すると、ステップＳ１６０の処理が行われる。
【０１４７】
ステップＳ１６０では、推薦コンテンツ情報表示処理が行われる。推薦コンテンツ情報表示処理では、検索部１５０が、取得した１以上の推薦コンテンツ情報を示す推薦情報表示画像を生成する。そして、検索部１５０は、生成した推薦情報表示画像と、当該推薦情報表示画像を表示装置４００に表示させための表示指示を、表示制御部１７０へ送信する。
【０１４８】
表示制御部１７０は、当該推薦情報表示画像および表示指示の受信に応じて、当該推薦情報表示画像を、表示装置４００に表示させる。
【０１４９】
すなわち、ステップＳ１６０の処理は、表示制御部１７０が、算出された残再生時間に応じた対応再生時間の他の映像コンテンツ（推薦候補コンテンツ）の情報を、表示装置４００に表示させる処理である。言い換えれば、ステップＳ１６０の処理は、表示制御部１７０が、検索部１５０が行った検索によりみつかった他の映像コンテンツ（推薦候補コンテンツ）の情報を表示装置４００に表示させる処理である。
【０１５０】
つまり、一例として、ステップＳ１６０の処理は、表示制御部１７０を含む制御部１０１が、情報表示指示を指示受付部１９０が受付けた場合、残再生時間以下の再生時間を有する再生外映像コンテンツの情報を検索し、検索の結果、得られる情報を表示装置４００に表示させる処理である。なお、当該検索により得られる情報は、残再生時間以下の再生時間を有する再生外映像コンテンツであって、ユーザの嗜好にあった再生外映像コンテンツの情報である。
【０１５１】
さらに言い換えれば、ステップＳ１６０の処理は、表示制御部１７０を含む制御部１０１が、情報表示指示を指示受付部１９０が受付けた場合、再生映像コンテンツの未再生時間（残再生時間）以下の再生時間で前記再生部１２０が再生可能な全ての再生外映像コンテンツのうち、全てまたは一部の再生外映像コンテンツの情報を、表示装置４００に表示させる処理である。
【０１５２】
ここで、検索部１５０は、ステップＳ１５０の処理により、一例として、３つの推薦コンテンツ情報を受信したとする。この場合、以下の推薦情報表示画像Ｇ１００が表示装置４００に表示されたとする。
【０１５３】
なお、表示装置４００は、当該表示装置４００に表示されている再生映像コンテンツの映像と重ならないように、推薦情報表示画像Ｇ１００と、再生映像コンテンツの映像とを同時に表示する。この場合、再生映像コンテンツの映像は、例えば、任意の倍率で縮小された映像である。
【０１５４】
なお、これに限定されず、表示装置４００は、当該表示装置４００に表示されている再生映像コンテンツの映像の一部に重なるように、推薦情報表示画像Ｇ１００と、再生映像コンテンツの映像とを表示してもよい。
【０１５５】
図７は、一例としての推薦情報表示画像Ｇ１００を示す図である。
【０１５６】
図７を参照して、推薦情報表示画像Ｇ１００には、推薦情報テーブルＧ１１０が配置される。推薦情報テーブルＧ１１０は、コンテンツ情報のリストである。推薦情報テーブルＧ１１０は、３つの推薦コンテンツ情報を示す。
【０１５７】
推薦情報テーブルＧ１１０において、「番号」とは、推薦コンテンツ情報を特定するための番号である。推薦情報テーブルＧ１１０において、「タイトル」とは、対応する推薦候補コンテンツのタイトルである。「再生時間」とは、対応する推薦候補コンテンツの再生時間である。「ジャンル」とは、対応する推薦候補コンテンツのジャンルである。「再生速度」とは、対応する推薦候補コンテンツ（再生外映像コンテンツ）を、算出された該残再生時間以下の時間で再生し終えるための該推薦候補コンテンツの再生速度の情報である。
【０１５８】
推薦情報表示画像Ｇ１００には、推薦情報テーブルＧ１１０に示される各推薦コンテンツ情報に対応づけて、当該推薦コンテンツ情報に対応する推薦候補コンテンツのサムネイル画像が表示される。なお、推薦情報表示画像Ｇ１００には、サムネイル画像が表示されなくてもよい。
【０１５９】
推薦情報テーブルＧ１１０に示される再生時間が、算出された該残再生時間以下の時間である場合、当該再生時間に対応する推薦候補コンテンツは、１倍（等倍）の再生速度、すなわち、通常の再生により、推薦候補コンテンツを最後まで再生することができる。
【０１６０】
一方、推薦情報テーブルＧ１１０に示される再生時間が、算出された該残再生時間より長い時間である場合、当該再生時間に対応する推薦候補コンテンツは、ｋ（１より大きい正数）倍の再生速度、すなわち、通常の再生速度より速い再生速度の再生が行われることにより、推薦候補コンテンツを最後まで再生することができる。
【０１６１】
ここで、算出された残再生時間は、６０分であるとする。また、前述の検索処理Ａにより、再生時間が９０分の推薦候補コンテンツがみつかったとする。この場合、推薦情報テーブルＧ１１０に示される番号“３”の推薦コンテンツ情報に示されるように、再生速度は、１．５倍となる。すなわち、映像コンテンツ再生装置１０００（再生部１２０）が、推薦候補コンテンツを１．５倍の再生速度で再生することにより、当該推薦候補コンテンツを、残再生時間である６０分以下の時間で再生し終えることができる。
【０１６２】
以上により、推薦情報表示画像が表示装置４００に表示されると、推薦コンテンツ情報表示処理が終了する。
【０１６３】
以下においては、残再生時間以下の再生時間で再生予定の推薦候補コンテンツ（再生外映像コンテンツ）の情報を、短縮映像コンテンツ情報ともいう。
【０１６４】
すなわち、上記処理により、表示装置４００が、推薦情報テーブルＧ１１０に示される番号“３”の推薦コンテンツ情報を表示する場合は、残再生時間よりも長い再生時間を有する再生外映像コンテンツを、該残再生時間以下の再生時間で再生予定の該再生外映像コンテンツの短縮映像コンテンツ情報を表示装置に表示させる場合である。
【０１６５】
この場合、制御部１０１に含まれる表示制御部１７０は、当該短縮映像コンテンツ情報と、該再生外映像コンテンツを該残再生時間以下の時間で再生し終えるための再生速度を示す情報とを紐付けして、表示装置４００に表示させる。
【０１６６】
なお、推薦コンテンツ検索処理で行われる検索により、残再生時間以下の再生時間で前記再生部１２０が再生可能な全ての再生外映像コンテンツの情報が表示される場合もある。この場合、制御部１０１は、残再生時間以下の再生時間で前記再生部１２０が再生可能な全ての前記再生外映像コンテンツの情報を、前記表示装置４００に表示させる。
【０１６７】
ここで、例えば、ユーザが２時間（１２０分）のコンテンツ視聴用時間を確保して、映像コンテンツ再生装置１０００において、再生時間が２時間の映像コンテンツの再生を開始させたとする。そして、ユーザが、再生時間が２時間の映像コンテンツを視聴中において、当該映像コンテンツの再生開始から３０分経過後に、当該映像コンテンツに興味が無くなり、情報表示指示操作を行ったとする。
【０１６８】
この場合、コンテンツ視聴用時間（２時間）から３０分減算された１時間３０分が、ユーザにとって暇な時間（空き時間）となる。ここで、暇な時間（空き時間）は、残再生時間である。
【０１６９】
この場合であっても、上記推薦コンテンツ情報表示処理が行われることにより、暇な時間（空き時間）を有意義に過ごすための、ユーザの嗜好にあった推薦候補コンテンツ（映像コンテンツ）の情報が表示装置４００に表示される。すなわち、当該暇な時間（空き時間）にあった推薦候補コンテンツの推薦コンテンツ情報を表示することができる。すなわち、ユーザに、暇な時間（空き時間）にあった推薦候補コンテンツの推薦コンテンツ情報を提供することができる。
【０１７０】
そのため、表示装置４００に表示された推薦コンテンツ情報に対応する推薦候補コンテンツ（映像コンテンツ）を再生させるためのユーザ操作Ｍをユーザが行うことにより、当該推薦候補コンテンツを、映像コンテンツ再生装置１０００において再生させることができる。すなわち、ユーザは、映像コンテンツの再生中に、暇な時間（空き時間）が生じたとしても、当該暇な時間（空き時間）を有意義に過ごすことができる。
【０１７１】
すなわち、本実施の形態における映像コンテンツ再生装置１０００は、再生映像コンテンツのうち未再生の部分の残再生時間に応じた対応再生時間の他の映像コンテンツの情報を表示することができる。
【０１７２】
つまり、本実施の形態における映像コンテンツ再生装置１０００は、再生されている映像コンテンツのうち未再生の部分の再生時間に応じた映像コンテンツの情報を表示することができる。すなわち、本実施の形態における映像コンテンツ再生装置１０００は、再生中の映像コンテンツの未再生時間に応じた映像コンテンツの情報を表示することができる。
【０１７３】
その結果、ユーザは、再生映像コンテンツのうち未再生の部分の残再生時間に応じた対応再生時間の他の映像コンテンツの情報を容易に知ることができ、ユーザの利便性を向上させることができる。
【０１７４】
また、ユーザが視聴を望む推薦候補コンテンツの再生時間が、暇な時間（空き時間）より長い時間であったとしても、再生速度の情報が示されることにより、ユーザは、当該再生速度の情報にしたがった再生速度で、推薦候補コンテンツを再生させるためのユーザ操作Ｍを行うことにより、暇な時間（空き時間）を、有意義に過ごすことができる。
【０１７５】
すなわち、映像コンテンツ再生装置１０００が、残再生時間を算出し、残再生時間に適した映像コンテンツを推薦することができる。そのため、ユーザは煩雑な操作を行うことなく、残再生時間にあった最適な映像コンテンツを享受することができる。
【０１７６】
なお、本実施の形態では、よりユーザの嗜好にあった映像コンテンツを推薦可能とする為に、映像コンテンツ再生装置１０００は、嗜好情報記憶部１６０を有する構成としたがこれに限定されない。映像コンテンツ再生装置１０００は、嗜好情報記憶部１６０を有さない構成であってもよい。この場合、検索される推薦候補コンテンツは、嗜好情報に対応せず残再生時間のみに対応した映像コンテンツである。
【０１７７】
嗜好情報記憶部１６０を有さないことで、結果として、嗜好情報を記憶するＨＤＤやＥＥＰＲＯＭなどの不揮発性記録媒体のコストを削減することができるという効果を奏する。
【０１７８】
また、指示受付部１９０が受付ける情報表示指示の送信には、遠隔制御装置２００が利用されるとしたが、これに限定されない。例えば、人感センサなどが利用されてもよい。この場合、人感センサが映像コンテンツ再生装置１０００を利用しているユーザの存在を検知し、ユーザが検出できなくなった場合に、情報表示指示が指示受付部１９０へ送信されてもよい。
【０１７９】
また、カメラなどが利用されてもよい。この場合、例えば、顔検出技術により、ユーザのコンテンツに対する興味を検出し、興味が無くなった事を検出された場合、情報表示指示が指示受付部１９０へ送信されてもよい。上記、人感センサ、カメラ等が利用されることにより、ユーザが遠隔制御装置２００を操作する手間が省ける。すなわち、ユーザの利便性をより向上させることができる。
【０１８０】
また、本実施の形態では、時間算出部１４０が算出した残再生時間に応じた推薦候補コンテンツを検索する処理一例を示したが、これに限定されない。例えば、検索部１５０は、再生時間が残再生時間以下の映像コンテンツを検索するようにしておき、検索部１５０が複数の推薦コンテンツ情報を１組の推薦コンテンツ情報としたコンテンツ情報のリストを示す推薦情報表示画像を生成し、当該推薦情報表示画像を、表示装置４００に表示することにより、当該１組の情報をユーザに提示するようにしてもよい。
【０１８１】
例えば、残再生時間が６０分の場合、再生時間が２０分の映像コンテンツの情報と、再生時間が４０分の映像コンテンツの情報とを１組の推薦コンテンツ情報とする。この場合、ユーザに再生時間が６０分の映像コンテンツの推薦コンテンツ情報を提供することができる。この場合、表示装置４００に表示される１組の推薦コンテンツ情報に対応する一部の再生外映像コンテンツの個数は複数である。
【０１８２】
また、前述したように、検索部１５０は、算出された残再生時間より長い再生時間のコンテンツを検索するようにしてもよい。この場合、コンテンツ再生時に、残再生時間以下の時間で再生が終了するように、コンテンツの再生速度の情報を表示してもよい。
【０１８３】
例えば、前述した推薦コンテンツ検索処理により、残再生時間が６０分の場合、再生時間が９０分の推薦候補コンテンツがみつかったとする。推薦候補コンテンツが取得された場合に、映像コンテンツ再生装置１０００（再生部１２０）に対して、１．５倍の再生速度で再生するように、遠隔制御装置２００を利用して情報表示指示を送信するためのユーザ操作Ｍが行われるとする。
【０１８４】
この場合、残再生時間が６０分で、推薦候補コンテンツを再生することができる。結果として、残再生時間以下の再生時間の映像コンテンツを検索する場合よりも、ユーザに推薦可能な映像コンテンツの数を増やすことが出来るという効果を奏する。
【０１８５】
＜第２の実施の形態＞
表示装置４００に推薦情報表示画像が表示されている間、時間経過とともに現在時刻は変化する。そのため、現在時刻の変化に伴い、残再生時間も時々刻々と変化する。
【０１８６】
また、映像コンテンツのジャンルが、例えば野球である場合、番組の延長により終了予定時刻が変更される場合がある。すなわち、再生中の映像コンテンツの種類によっては、映像コンテンツの再生の終了予定時刻が変化する場合がある。この場合、第１の実施の形態の処理では、推薦情報表示画像に示される推薦コンテンツ情報が、最新の残再生時間に対応した情報でないという状態が発生する。
【０１８７】
本実施の形態では、推薦情報表示画像が示す推薦コンテンツ情報を、残再生時間の変化に応じて更新するための処理について説明する。
【０１８８】
本実施の形態における映像コンテンツ再生装置は、図１の映像コンテンツ再生装置１０００である。そのため、映像コンテンツ再生装置１０００内の各構成要素についての詳細な説明は繰り返さない。
【０１８９】
次に、本実施の形態において、映像コンテンツの再生中に、他の映像コンテンツの情報を表示するための処理（以下、推薦コンテンツ情報表示処理Ａという）について説明する。推薦コンテンツ情報表示処理Ａは、再生部１２０により映像コンテンツが再生されている期間に行われる処理である。
【０１９０】
ここで、ユーザは、映像コンテンツ再生装置１０００において映像コンテンツが再生されることにより、表示装置４００に表示されている映像コンテンツを視聴しているとする。
【０１９１】
図８は、推薦コンテンツ情報表示処理Ａのフローチャートである。図８において、図６のステップ番号と同じステップ番号の処理は、第１の実施の形態で説明した処理と同様な処理が行われるので詳細な説明は繰り返さない。
【０１９２】
ステップＳ１１０〜ステップＳ１６０の各々では、第１の実施の形態と同様な処理が行われるので詳細な説明は繰り返さない。
【０１９３】
ステップＳ１７０Ａでは、時間算出部１４０が、最新のステップＳ１２０の処理が実行されてから所定時間経過したか否かを判定する。ここで、所定時間は、例えば、１分である。ステップＳ１７０Ａにおいて、ＹＥＳならば処理は、ステップＳ１２０に移行する。一方、ステップＳ１７０Ａにおいて、ＮＯならば、再度、ステップＳ１７０Ａの処理が行われる。
【０１９４】
所定時間が経過すると、ステップＳ１７０ＡでＹＥＳと判定され、再度、ステップＳ１２０の処理が行われる。
【０１９５】
すなわち、推薦コンテンツ情報表示処理ＡのステップＳ１４０の処理は、所定時間経過毎に行われる。これにより、時間算出部１４０は、映像コンテンツが再生されている期間において、所定時間の経過毎に、当該映像コンテンツの最新の残再生時間を算出する。すなわち、時間算出部１４０を含む制御部１０１は、再生映像コンテンツが再生部１２０により所定時間再生された後、残再生時間を更新する。
【０１９６】
また、推薦コンテンツ情報表示処理ＡのステップＳ１５０の処理は、所定時間経過毎に行われる。これにより、最新の現在時刻により算出された残再生時間に対応する推薦候補コンテンツが検索される。
【０１９７】
また、推薦コンテンツ情報表示処理ＡのステップＳ１６０の処理は、所定時間経過毎に行われる。これにより、表示制御部１７０は、最新の残再生時間が算出される毎に、該最新の残再生時間に対応する推薦コンテンツ情報を示す推薦情報表示画像を表示装置４００に表示させる。
【０１９８】
すなわち、表示制御部１７０は、最新の残再生時間が算出される毎に、該最新の残再生時間に応じた対応再生時間の他の映像コンテンツの情報を、表示装置４００に表示させる。つまり、表示制御部１７０を含む制御部１０１は、情報表示指示を指示受付部１９０が受付けた場合、再生映像コンテンツの更新された残再生時間以下の再生時間で前記再生部１２０が再生可能な全ての前記再生外映像コンテンツのうち、全てまたは一部の前記再生外映像コンテンツの情報を、表示装置４００に表示させる。
【０１９９】
すなわち、推薦コンテンツ情報表示処理Ａが行われることにより、最初の推薦情報表示画像が表示された後、当該推薦情報表示画像は、所定時間経過毎に、最新の残再生時間に対応する推薦コンテンツ情報を示す推薦情報表示画像に更新される。
【０２００】
以上説明したように、本実施の形態によれば、現在時刻の変化に合わせて、残再生時間を再度算出し、推薦情報表示画像を動的に更新することが可能となる。これにより、最新の残再生時間に対応する推薦コンテンツ情報を示す推薦情報表示画像が、表示装置４００に表示される。そのため、ユーザは最新の推薦コンテンツ情報を参照して、好みの映像コンテンツを映像コンテンツ再生装置１０００に再生させることができる。すなわち、ユーザの利便性をさらに向上させることができる。
【０２０１】
なお、例えば、推薦候補コンテンツの定義において、残再生時間に応じた対応再生時間が、該残再生時間以下の時間であるとした場合、残再生時間を越える映像コンテンツを推薦しないようにすることが可能となる。
【０２０２】
なお、上記の第１および第２の実施の形態では、映像コンテンツ再生装置１０００（再生部１２０）が再生している映像コンテンツを、再生中のコンテンツとしての再生映像コンテンツとしたがこれに限定されない。
【０２０３】
例えば、表示装置４００が放送ストリームを受信し、表示装置４００が当該放送ストリームに含まれる映像コンテンツを再生してもよい。すなわち、上記の第１および第２の実施の形態において、再生映像コンテンツは、表示装置４００が再生している映像コンテンツであってもよい。この場合、表示装置４００は、当該表示装置４００が再生している映像コンテンツに対応する番組情報（例えば、図２の番組情報Ｔ２０１）を、映像コンテンツ再生装置１０００へ送信する。
【０２０４】
これにより、映像コンテンツ再生装置１０００は、表示装置４００が再生している映像コンテンツを特定するとともに、当該映像コンテンツの放送時間等を取得する。この場合、表示装置４００が映像コンテンツを再生しているときに、映像コンテンツ再生装置１０００は、表示装置４００から取得した番組情報（放送時間等）を利用して、前述した図６の推薦コンテンツ情報表示処理、または、図８の推薦コンテンツ情報表示処理Ａを行ってもよい。
【０２０５】
すなわち、映像コンテンツ再生装置１０００は、表示装置４００が再生している映像コンテンツの番組情報を用いて、残再生時間の算出（Ｓ１４０）、推薦コンテンツ情報表示処理（Ｓ１６０）等を行ってもよい。この場合、前記制御部１０１は、前記表示装置４００が再生している映像コンテンツ（以下、再生映像コンテンツと称す）とは異なる他の映像コンテンツ（以下、再生外映像コンテンツと称す）の情報を表示するための情報表示指示を前記指示受付部１９０が受付けた場合、前記再生映像コンテンツの未再生の部分の再生時間（以下、残再生時間と称す）以下の再生時間で前記再生部１２０が再生可能な前記再生外映像コンテンツのうち、全てまたは一部の前記再生外映像コンテンツの情報を、前記表示装置４００に表示させる。
【０２０６】
なお、映像コンテンツ再生装置１０００は、前述したように、表示装置４００を備えてもよい。この場合、映像コンテンツ再生装置１０００の構成は、図９のようになる。この場合、映像コンテンツ再生装置１０００は、例えば、テレビジョン受像機、携帯電話、タブレット端末等である。映像コンテンツ再生装置１０００に含まれる表示装置４００は、映像コンテンツを表示するための表示部である。
【０２０７】
なお、図９の構成の映像コンテンツ再生装置１０００が行う処理は、第１および第２の実施の形態の処理と同様なので詳細な説明は繰り返さない。
【０２０８】
（機能ブロック図）
図１０は、映像コンテンツ再生装置６００の特徴的な機能構成を示すブロック図である。映像コンテンツ再生装置６００は、映像コンテンツ再生装置１０００に相当する。つまり、図１０は、映像コンテンツ再生装置１０００の有する機能のうち、本発明に関わる主要な機能を示すブロック図である。
【０２０９】
映像コンテンツ再生装置６００は、図示しない表示装置と連携して動作する。当該表示装置は、例えば、図１または図９の表示装置４００に相当する。なお、当該表示装置は、映像コンテンツを再生していてもよい。
【０２１０】
映像コンテンツ再生装置６００は、機能的には、再生部６１０と、指示受付部６２０と、制御部６３０とを備える。
【０２１１】
再生部６１０は、映像コンテンツを再生する。再生部６１０は、図１の再生部１２０に相当する。以下においては、再生中の映像コンテンツを、再生映像コンテンツともいう。また、以下においては、再生映像コンテンツとは異なる他の映像コンテンツを、再生外映像コンテンツともいう。また、以下においては、再生中の再生映像コンテンツのうち未再生の部分の再生時間を、残再生時間ともいう。
【０２１２】
指示受付部６２０は、指示を受付ける。具体的には、指示受付部６２０は、再生中の映像コンテンツ（再生映像コンテンツ）とは異なる他の映像コンテンツ（再生外映像コンテンツ）の情報を表示するための情報表示指示を受付ける。指示受付部６２０は、指示受付部１９０に相当する。
【０２１３】
制御部６３０は、前記映像コンテンツ再生装置６００の制御を行う。
【０２１４】
前記制御部６３０は、情報表示指示を前記指示受付部６２０が受付けた場合、前記再生映像コンテンツのうち未再生の部分の再生時間（残再生時間）以下の再生時間で前記再生部６１０が再生可能な全ての前記再生外映像コンテンツのうち、全てまたは一部の前記再生外映像コンテンツの情報を、前記表示装置に表示させる。制御部６３０は、制御部１０１に相当する。
【０２１５】
なお、映像コンテンツ再生装置６００に含まれる、再生部６１０、指示受付部６２０および制御部６３０の全てまたは一部は、ＬＳＩ（Large Scale Integration：大規模集積回路）等のハードウエアで構成されてもよい。
【０２１６】
また、映像コンテンツ再生装置６００に含まれる、再生部６１０、指示受付部６２０および制御部６３０の全てまたは一部は、ＣＰＵ等のプロセッサにより実行されるプログラムのモジュールであってもよい。
【０２１７】
以上、本発明における映像コンテンツ再生装置１０００について、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０２１８】
また、上記の映像コンテンツ再生装置１０００を構成する複数の構成要素の全てまたは一部は、ハードウエアで構成されてもよい。また、上記の映像コンテンツ再生装置１０００を構成する構成要素の全てまたは一部は、ＣＰＵ（Central Processing Unit）等によ
り実行されるプログラムのモジュールであってもよい。
【０２１９】
また、上記の映像コンテンツ再生装置１０００を構成する複数の構成要素の全てまたは一部は、１個のシステムＬＳＩ（Large Scale Integration：大規模集積回路）から構成されてもよい。システムＬＳＩは、複数の構成要素を１個のチップ上に集積して製造された超多機能ＬＳＩであり、具体的には、マイクロプロセッサ、ＲＯＭ（Read Only Memory）及びＲＡＭ（Random Access Memory）などを含んで構成されるコンピュータシステムである。
【０２２０】
例えば、図１において、通信部１１０、分離部１１１、再生部１２０、時間算出部１４０、検索部１５０、表示制御部１７０、時刻計測部１８０および指示受付部１９０は、１個のシステムＬＳＩから構成されてもよい。
【０２２１】
また、本発明は、映像コンテンツ再生装置１０００が備える特徴的な構成部の動作をステップとするコンテンツ情報表示方法として実現してもよい。また、本発明は、そのようなコンテンツ情報表示方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２２２】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０２２３】
本発明は、再生されている映像コンテンツのうち未再生の部分の再生時間に応じた映像コンテンツの情報を表示すること可能とした映像コンテンツ再生装置として、利用することができる。
【符号の説明】
【０２２４】
１０１，６３０  制御部
１１０  通信部
１１１  分離部
１２０，６１０  再生部
１４０  時間算出部
１５０  検索部
１６０  嗜好情報記憶部
１７０  表示制御部
１８０  時刻計測部
１９０，６２０  指示受付部
２００  遠隔制御装置
４００  表示装置
５００  コンテンツサーバ
６００，１０００  映像コンテンツ再生装置
【図１】
2011152027.tif 000003
【図２】
2011152027.tif 000004
【図３】
2011152027.tif 000005
【図４】
2011152027.tif 000006
【図５】
2011152027.tif 000007
【図６】
2011152027.tif 000008
【図７】
2011152027.tif 000009
【図８】
2011152027.tif 000010
【図９】
2011152027.tif 000011
【図１０】
2011152027.tif 000012
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
表示装置に映像コンテンツを表示させる映像コンテンツ再生装置であって、
映像コンテンツを再生する再生部と、
指示を受付けるための指示受付部と、
前記映像コンテンツ再生装置の制御を行う制御部と、を備え、
前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間を有する前記再生外映像コンテンツのうち、全てまたは一部の前記再生外映像コンテンツの情報を、前記表示装置に表示させる
映像コンテンツ再生装置。
【請求項２】
前記制御部は、前記情報表示指示を前記指示受付部が受付けた場合、さらに、前記残再生時間以下の再生時間を有する再生外映像コンテンツを、前記映像コンテンツ再生装置の内部または外部において検索し、該検索によりみつかった前記再生外映像コンテンツの情報を前記表示装置に表示させる
請求項１に記載の映像コンテンツ再生装置。
【請求項３】
前記制御部が検索により得られる情報は、前記残再生時間以下の再生時間を有する再生外映像コンテンツであって、ユーザの嗜好にあった再生外映像コンテンツの情報である
請求項２に記載の映像コンテンツ再生装置。
【請求項４】
前記制御部は、前記残再生時間よりも長い再生時間を有する再生外映像コンテンツを、該残再生時間以下の再生時間で再生予定の該再生外映像コンテンツの情報（以下、短縮映像コンテンツ情報と称す）を前記表示装置に表示させる場合、当該短縮映像コンテンツ情報と、該再生外映像コンテンツを該残再生時間以下の時間で再生し終えるための再生速度を示す情報とを紐付けして、前記表示装置に表示させる
請求項１〜３のいずれか１項に記載の映像コンテンツ再生装置。
【請求項５】
前記制御部は、再生映像コンテンツが前記再生部により所定時間再生された後、前記残再生時間を更新し、
前記情報表示指示を前記指示受付部が受付けた場合、前記再生映像コンテンツの更新された残再生時間以下の再生時間を有する前記再生外映像コンテンツのうち、全てまたは一部の前記再生外映像コンテンツの情報を、前記表示装置に表示させる
請求項１〜４のいずれか１項に記載の映像コンテンツ再生装置。
【請求項６】
前記一部の再生外映像コンテンツの個数は複数である
請求項１〜５のいずれか１項に記載の映像コンテンツ再生装置。
【請求項７】
映像コンテンツを再生する表示装置から情報を受信する映像コンテンツ再生装置であって、
映像コンテンツを再生する再生部と、
指示を受付けるための指示受付部と、
前記映像コンテンツ再生装置の制御を行う制御部と、を備え、
前記制御部は、前記表示装置が再生している映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間以下の再生時間を有する前記再生外映像コンテンツのうち、全てまたは一部の前記再生外映像コンテンツの情報を、前記表示装置に表示させる
映像コンテンツ再生装置。
【請求項８】
映像コンテンツを表示する表示部と、
映像コンテンツを再生する再生部と、
指示を受付けるための指示受付部と、
前記映像コンテンツ再生装置の制御を行う制御部と、を備え、
前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間以下の再生時間を有する前記再生外映像コンテンツのうち、全てまたは一部の前記再生外映像コンテンツの情報を、前記表示部に表示させる
映像コンテンツ再生装置。
【請求項９】
表示装置に映像コンテンツを表示させる映像コンテンツ再生装置が行うコンテンツ情報表示方法であって、
前記映像コンテンツ再生装置は、
映像コンテンツを再生する再生部と、
指示を受付けるための指示受付部とを備え、
前記コンテンツ情報表示方法は、
再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間以下の再生時間を有する前記再生外映像コンテンツのうち、全てまたは一部の前記再生外映像コンテンツの情報を、前記表示装置に表示させるステップを含む
コンテンツ情報表示方法。
【手続補正２】
【補正対象書類名】明細書
【補正対象項目名】０００９
【補正方法】変更
【補正の内容】
【０００９】
上述の課題を解決するために、本発明の一態様に従う映像コンテンツ再生装置は、表示装置に映像コンテンツを表示させる。前記映像コンテンツ再生装置は、映像コンテンツを再生する再生部と、指示を受付けるための指示受付部と、前記映像コンテンツ再生装置の制御を行う制御部と、を備え、前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間（以下、残再生時間と称す）以下の再生時間を有する前記再生外映像コンテンツのうち、全てまたは一部の前記再生外映像コンテンツの情報を、前記表示装置に表示させる。
【手続補正３】
【補正対象書類名】明細書
【補正対象項目名】００１０
【補正方法】変更
【補正の内容】
【００１０】
すなわち、映像コンテンツ再生装置は、再生中の映像コンテンツ（再生映像コンテンツ）とは異なる他の映像コンテンツ（再生外映像コンテンツ）の情報を表示するための情報表示指示を前記指示受付部が受付けた場合、再生映像コンテンツの未再生の部分の再生時間（残再生時間）以下の再生時間を有する前記再生外映像コンテンツのうち、全てまたは一部の前記再生外映像コンテンツの情報を、前記表示装置に表示させる。
【手続補正４】
【補正対象書類名】明細書
【補正対象項目名】００１１
【補正方法】変更
【補正の内容】
【００１１】
つまり、映像コンテンツ再生装置は、再生外映像コンテンツの情報を表示するための情報表示指示があった場合、再生映像コンテンツの未再生の部分の再生時間（残再生時間）以下の再生時間を有する前記再生外映像コンテンツのうち、全てまたは一部の前記再生外映像コンテンツの情報を、前記表示装置に表示させる。
【手続補正５】
【補正対象書類名】明細書
【補正対象項目名】００１２
【補正方法】変更
【補正の内容】
【００１２】
したがって、映像コンテンツが再生されている期間において、例えば、ユーザが他の映像コンテンツが再生されることを希望し、他の映像コンテンツの情報を表示するための情報表示指示を生じさせるための操作がユーザにより行われたとする。この場合、本態様によれば、再生映像コンテンツの未再生の部分の再生時間（残再生時間）以下の再生時間を有する前記再生外映像コンテンツのうち、全てまたは一部の前記再生外映像コンテンツの情報が、前記表示装置に表示される。
【手続補正６】
【補正対象書類名】明細書
【補正対象項目名】００１３
【補正方法】変更
【補正の内容】
【００１３】
すなわち、本態様によれば、再生映像コンテンツの未再生の部分の再生時間（残再生時間）以下の再生時間を有する前記再生外映像コンテンツのうち、全てまたは一部の前記再生外映像コンテンツの情報を表示することができる。つまり、本態様によれば、再生中の映像コンテンツの未再生時間に応じた映像コンテンツの情報を表示することができる。
【手続補正７】
【補正対象書類名】明細書
【補正対象項目名】００１４
【補正方法】変更
【補正の内容】
【００１４】
また、好ましくは、前記制御部は、前記情報表示指示を前記指示受付部が受付けた場合、さらに、前記残再生時間以下の再生時間を有する再生外映像コンテンツを、前記映像コンテンツ再生装置の内部または外部において検索し、該検索によりみつかった前記再生外映像コンテンツの情報を前記表示装置に表示させる。
【手続補正８】
【補正対象書類名】明細書
【補正対象項目名】００１７
【補正方法】変更
【補正の内容】
【００１７】
また、好ましくは、前記制御部は、再生映像コンテンツが前記再生部により所定時間再生された後、前記残再生時間を更新し、前記情報表示指示を前記指示受付部が受付けた場合、前記再生映像コンテンツの更新された残再生時間以下の再生時間を有する前記再生外映像コンテンツのうち、全てまたは一部の前記再生外映像コンテンツの情報を、前記表示装置に表示させる。
【手続補正９】
【補正対象書類名】明細書
【補正対象項目名】００１９
【補正方法】変更
【補正の内容】
【００１９】
この発明の他の一態様に従う映像コンテンツ再生装置は、映像コンテンツを再生する表示装置から情報を受信する。前記映像コンテンツ再生装置は、映像コンテンツを再生する再生部と、指示を受付けるための指示受付部と、前記映像コンテンツ再生装置の制御を行う制御部と、を備え、前記制御部は、前記表示装置が再生している映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間以下の再生時間を有する前記再生外映像コンテンツのうち、全てまたは一部の前記再生外映像コンテンツの情報を、前記表示装置に表示させる。
【手続補正１０】
【補正対象書類名】明細書
【補正対象項目名】００２０
【補正方法】変更
【補正の内容】
【００２０】
この発明の他の一態様に従う映像コンテンツ再生装置は、映像コンテンツを表示する表示部と、映像コンテンツを再生する再生部と、指示を受付けるための指示受付部と、前記映像コンテンツ再生装置の制御を行う制御部と、を備え、前記制御部は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間以下の再生時間を有する前記再生外映像コンテンツのうち、全てまたは一部の前記再生外映像コンテンツの情報を、前記表示部に表示させる。
【手続補正１１】
【補正対象書類名】明細書
【補正対象項目名】００２１
【補正方法】変更
【補正の内容】
【００２１】
この発明の一態様に従うコンテンツ情報表示方法は、表示装置に映像コンテンツを表示させる映像コンテンツ再生装置が行う。前記映像コンテンツ再生装置は、映像コンテンツを再生する再生部と、指示を受付けるための指示受付部とを備え、前記コンテンツ情報表示方法は、再生中の映像コンテンツ（以下、再生映像コンテンツと称す）とは異なる他の映像コンテンツ（以下、再生外映像コンテンツと称す）の情報を表示するための情報表示指示を前記指示受付部が受付けた場合、前記再生映像コンテンツの未再生の部分の再生時間以下の再生時間を有する前記再生外映像コンテンツのうち、全てまたは一部の前記再生外映像コンテンツの情報を、前記表示装置に表示させるステップを含む。
【国際調査報告】
2011152027.tif 000013
2011152027.tif 000014